(57)【要約】【課題】除電効果を高めて、静電気による光変調装置表面へのゴミ、ケバ等の付着防止の向上を可能とする光変調装置を備えたプロジェクターを提供する。【解決手段】光変調装置５０Ｒ、５０Ｇ、５０Ｂの両表面に帯電防止用の導電膜６０３を設けると共に、導電膜６０３を光変調装置の近傍に配置されるサーミスター８０１に接続されるリード線８０４を介して接地するものである。【選択図】図８
2011170066.tif 000002
【特許請求の範囲】
【請求項１】
光源から出射された光束を変調する光変調装置と、前記光変調装置によって変調された光を投写する投写レンズと、前記光変調装置を駆動制御する制御回路が実装された制御基板を備えたプロジェクターであって、
前記光変調装置は液晶表示体と前記液晶表示体を保持する保持体を備え、
前記液晶表示体の表面には導電膜が設けられ、
前記導電膜は、前記光変調装置近傍に配置された電気部品と前記制御基板を接続するリード線を通じて接地されている、
ことを特徴とするプロジェクター。
【請求項２】
請求項１に記載のプロジェクターにおいて、
前記導電膜は前記保持体を介して接地されていることを特徴とするプロジェクター。
【請求項３】
請求項１または請求項２に記載のプロジェクターにおいて、
前記電気部品はサーミスターであることを特徴とするプロジェクター。
【請求項４】
請求項３に記載のプロジェクターにおいて、
前記サーミスターは基板に実装され、
前記光変調装置は前記基板を介して接地されていることを特徴とするプロジェクター。
【発明の詳細な説明】
【技術分野】
【０００１】
本発明は、光変調装置及び光変調装置を備えたプロジェクターに関する。さらに詳しくは、光変調装置の表面にゴミ、ケバ等が付着するのを防止する技術に関する。
【背景技術】
【０００２】
従来、液晶パネル表面に静電気が帯電し、この静電気が原因で液晶パネル表面にゴミ、ケバ等が付着して投写画面に映り込むことにより画質が劣化することが知られている。また、液晶パネル表面は、結像面に近く投写画面上でも結像するため画像に与える影響が大きい。これを防止するために、液晶パネル表面に導電膜を設け、導電膜を接地する方法が提案されている。
【０００３】
たとえば、液晶パネル表面に設けられた導電膜をフレキシブルケーブルに設けられたＧＮＤラインを介して接地するようにしたプロジェクターがある（例えば、特許文献１参照）。
【先行技術文献】
【特許文献】
【０００４】
【特許文献１】特開２００４−２３３５０１号公報
【発明の概要】
【発明が解決しようとする課題】
【０００５】
上記特許文献１においては、防塵ガラス表面に設けられた導電膜をフレキシブルケーブルに設けられたＧＮＤラインを利用して電気的に接地させているが、導電膜とフレキシブルケーブルとを接続するための別のフレキシブルケーブルが必要となり、フレキシブルケーブル同士を接続させなくてはならない為、組立工数の増加となる。また、フレキシブルケーブル同士の接続部の強度は低いので、耐久性が低いという課題がある。
【０００６】
本発明は、このような点に鑑みなされたもので、より簡易な構成で確実に液晶パネルなどの光変調装置表面への静電気によるゴミ、ケバ等の付着防止を可能とするプロジェクターを提供することを目的とする。
【課題を解決するための手段】
【０００７】
本発明は、上述の課題の少なくとも一部を解決するためになされたものであり、以下の形態または適用例として実現することが可能である。
【０００８】
［適用例１］本適用例に係るプロジェクターは、光源から出射された光束を変調する光変調装置と、前記光変調装置によって変調された光を投写する投写レンズと、前記光変調装置を駆動制御する制御回路が実装された制御基板を備えたプロジェクターであって、前記光変調装置は液晶表示体と前記液晶表示体を保持する保持体を有し、前記液晶表示体の表面には導電膜が設けられ、前記導電膜は前記光変調装置近傍に配置された電気部品と前記制御基板を接続するリード線を通じて接地されていることを特徴とする。
【０００９】
本適用例によれば、導電膜を光変調装置近傍に配置される電気部品と前記制御基板を接続するリード線を利用し接地するため、導電膜の接地を簡易な構成で行うことができる。また、リード線を用いるため、信頼性も高くなる。よって、光変調装置にゴミ、ケバ等が付着することによる画質の劣化の抑制を、簡易な構成で確実に行うことが可能となる。
【００１０】
［適用例２］上記適用例に係るプロジェクターにおいて、前記導電膜は前記保持体を介して接地されていることを特徴とする。
【００１１】
本適用例によれば、導電膜を光変調装置の保持体を介して接地するため、導電膜の接地がさらに容易となり、光変調装置やプロジェクターの製造工程を従来技術に比べ簡便にすることが可能となる。
【００１２】
［適用例３］上記適用例に係るプロジェクターにおいて、前記電気部品はサーミスターであることを特徴とする。
【００１３】
本適用例によれば、光変調装置から最も近い位置に配置され環境温度をモニタリングする目的で光変調装置近傍に配置されたサーミスターに接続されたリード線を利用することにより他の電子部品のリード線を利用するより容易に接続することができる。
【００１４】
［適用例４］上記適用例に係るプロジェクターにおいて、前記サーミスターは基板に実装され、前記光変調装置は前記基板を介して接地されていることが好ましい。
【００１５】
本適用例によれば、サーミスターは基板に実装してから配置する構造となっており、この基板と複数の光変調装置を接続することにより、複数の光変調装置を備えていても、構造を簡易にすることができる。
【図面の簡単な説明】
【００１６】
【図１】本実施形態のプロジェクターの外観を示す図。
【図２】図１の外装ケースの内部における各構成部分の配置を示す図。
【図３】（Ａ）光学レンズユニットと投写レンズユニットの部分を取り出して示す図、（Ｂ）光学系の概略構成図。
【図４】本発明の一実施の形態の光変調装置の正面図。
【図５】図４のＡ−Ａ断面図。
【図６】図４の光変調装置の分解斜視図。
【図７】無反射機能付透明導電膜の構成の一例を示す図。
【図８】透明導電膜とサーミスターの接続構造例を示す図。
【発明を実施するための形態】
【００１７】
（第１実施形態）
次に、本発明の好適な実施の形態について、本発明に係る光変調装置の一実施形態としてのプロジェクターを例に、図面を参照しながら説明する。
【００１８】
図１は、本実施形態のプロジェクターの外観図を示す。本例のプロジェクター１の外装ケース２は直方体形状をしている。この外装ケース２は、アッパーケース３と、ロアーケース４と、フロントケース５により構成される。そして、フロントケース５の中央からは投写レンズユニット６の先端側の部分が突出している。
【００１９】
図２は、プロジェクター１の内部における各構成要素の配置を示す。図２に示すように、プロジェクター１の内部において、投写レンズユニット６とは反対側には電源ユニット７が配置されている。電源ユニット７よりも装置前側に隣接した位置には、光源ランプユニット８および光学ユニット９が配置されている。さらに、光学ユニット９の前側の中央には、投写レンズユニット６の基端側が位置している。
【００２０】
一方、光学ユニット９の一方の側には、装置前後方向に向けて入出力インターフェイス回路が搭載されたインターフェイス基板１１が配置され、これに平行に、ビデオ信号処理回路が搭載されたビデオ基板１２が配置されている。さらに、光源ランプユニット８および光学ユニット９の上側には、装置駆動制御用の制御基板１３が配置され、装置前端側の左右の角には、それぞれスピーカー１４Ｒ，１４Ｌが配置されている。
【００２１】
光学ユニット９の上方及び下方には装置内部冷却用の吸気ファン１５Ａ，１５Ｂが配置されている。また、光源ランプユニット８の裏面側である装置側面には排気ファン１６が配置されている。そして、電源ユニット７におけるインターフェイス基板１１および、ビデオ基板１２の端に面する位置には、吸気ファン１５Ａからの冷却用空気流を電源ユニット７内に吸引するための補助冷却ファン１７が配置されている。
【００２２】
これらのファンのうち、吸気ファン１５Ｂは、主に、後述する光変調装置５０Ｒ，５０Ｇ，５０Ｂ内に設けられた光変調素子としての液晶パネル４０Ｒ，４０Ｇ，４０Ｂの冷却用のファンとして機能している。尚、吸気ファン１５Ａを液晶パネル４０Ｒ，４０Ｇ，４０Ｂの冷却用に用いることもできる。なお、吸気ファン１５Ａ，１５Ｂは図示しないリード線を介して制御基板１３と接続されている。
【００２３】
以下、図３に基づき光学ユニット９および光学系の構成について説明する。
【００２４】
図３（Ａ）は、光学ユニット９の部分を示す。この図３（Ａ）に示すように、光学ユニット９は、その色合成手段を構成しているプリズムユニット２０以外の光学素子が上ライトガイド９０１と下ライトガイド９０２の間に上下から挟まれて保持された構成となっている。上ライトガイド９０１は下ライトガイド９０２に固定ねじにより固定されている。また、下ライトガイド９０２は、ロアーケース４に同じく固定ねじによって固定されている。
【００２５】
プリズムユニット２０は、ダイキャスト板である厚手のヘッド板３０の裏面に固定ねじによって固定されている。このヘッド板３０の前面には、投写手段としての投写レンズユニット６の基端側が同じく固定ねじによって固定されている。したがって、本例では、ヘッド板３０を挟み、プリズムユニット２０と投写レンズユニット６とが一体となるように固定された構造となっている。
【００２６】
図３（Ｂ）は、プロジェクター１に組み込まれている光学系の概略構成を示す。本例の光学系は、光源ランプ８０５と、均一照明光学素子であるインテグレータレンズ９２１，９２２を有する均一照明光学系９２３と、この均一照明光学系９２３から出射される光束Ｗを、赤、緑、青の各色光束Ｒ、Ｇ、Ｂに分離する色分離光学系９２４と、各色光束を変調する光変調素子としての液晶パネル４０Ｒ，４０Ｇ，４０Ｂをそれぞれ有する３枚の光変調装置５０Ｒ，５０Ｇ，５０Ｂ（詳しい構成については以下に詳述する）と、変調された色光束を合成する色合成光学系としてのプリズム合成体２２と、合成された光束を投写面上に拡大投写する投写レンズユニット６とから構成される。また、色分離光学系９２４によって分離された各色光束のうち、青色光束Ｂを対応する液晶パネル４０Ｂに導くリレー光学系９２７を有している。
【００２７】
均一照明光学系９２３は、さらに、反射ミラー９３１を備えており、光源ランプ８０５からの出射光の光軸１ａを装置前方向に向けて直角に折り曲げるようにしている。この反射ミラー９３１を挟み、インテグレータレンズ９２１，９２２が前後に直交する状態に配置されている。
【００２８】
色分離光学系９２４は、青緑反射ダイクロイックミラー９４１と、緑反射ダイクロイックミラー９４２と、反射ミラー９４３から構成される。まず、青緑反射ダイクロイックミラー９４１において、均一照明光学系９２３を通った光束Ｗのうち、そこに含まれている青色光束Ｂおよび緑色光束Ｇが直角に反射されて、緑反射ダイクロイックミラー９４２の側に向かう。赤色光束Ｒは、この青緑反射ダイクロイックミラー９４１を通過して、後方の反射ミラー９４３で直角に反射されて、赤色光束の出射部９４４から色合成光学系の側に出射される。次に、緑反射ダイクロイックミラー９４２において、青緑反射ダイクロイックミラー９４１において反射された青および緑の光束Ｂ、Ｇのうち、緑色光束Ｇのみが直角に反射されて、緑色光束の出射部９４５から色合成光学系の側に出射される。この緑反射ダイクロイックミラー９４２を通過した青色光束Ｂは、青色光束の出射部９４６からリレー光学系９２７の側に出射される。本例では、均一照明光学素子の光束の出射部から、色分離光学系９２４における各色光束の出射部９４４，９４５，９４６までの距離が全てほぼ等しくなるように設定されている。
【００２９】
色分離光学系９２４の赤色光束及び緑色光束の出射部９４４，９４５の出射側には、それぞれ集光レンズ９５１，９５２が配置されている。したがって、各出射部から出射した赤色光束及び緑色光束は、これらの集光レンズ９５１，９５２に入射して平行化される。
【００３０】
平行化された赤色および緑色の光束Ｒ、Ｇは、偏光板６０Ｒ，６０Ｇによって偏光方向が揃えられた後、光変調装置５０Ｒ，５０Ｇに入射して液晶パネル４０Ｒ，４０Ｇで変調され、各色光に対応した画像情報が付加される。すなわち、これらの液晶パネル４０Ｒ，４０Ｇは、図示していない駆動手段によって画像情報に対応する画像信号によってスイッチング制御され、これにより、ここを通過する各色光の変調が行われる。このような駆動手段は、公知の手段をそのまま使用することができる。
【００３１】
一方、青色光束Ｂは、リレー光学系９２７を介し、さらに、偏光板６０Ｂによって偏光方向が揃えられた後、対応する光変調装置５０Ｂに導かれて、ここにおいて、同様に画像情報に応じて変調が施される。
【００３２】
リレー光学系９２７は、集光レンズ９７４と入射側反射ミラー９７１と、出射側反射ミラー９７２と、これらのミラー間に配置した中間レンズ９７３と、液晶パネル４０Ｂの手前側に配置した集光レンズ９５３から構成される。各色光束の光路の長さ、すなわち、光源ランプ８０５から各光変調装置までの距離は、青色光束Ｂが最も長くなり、したがって、この光束の光量損失が最も多くなる。しかし、リレー光学系９２７を介在させることにより、光量損失を抑制できる。
【００３３】
各光変調装置５０Ｒ，５０Ｇ，５０Ｂを通って変調された各色光束は、偏光板６１Ｒ，６１Ｇ，６１Ｂに入射し、これを透過した光がプリズム合成体２２に入射され、ここで合成される。本例では、ダイクロイックプリズムからなるプリズム合成体２２を用いて色合成光学系を構成している。ここで合成されたカラー画像は、投写レンズユニット６を介して、所定の位置にある投写面１０上に拡大投写される。
【００３４】
次に光変調装置５０Ｒ，５０Ｇ，５０Ｂと接地構造に関して説明する。
【００３５】
図４は本発明の実施形態の光変調装置の正面図、図５は図４のＣ−Ｃ断面図、図６は図４の光変調装置の分解斜視図である。なお、光変調装置５０Ｒ，５０Ｇ，５０Ｂは同じ構成であるため、以下では、光変調装置５０Ｇを例として説明をする。また、図５において左側が入射面側で、右側が出射面側、図６において右側が入射面側で、左側が出射面側である。
【００３６】
光変調装置５０Ｇは、保持体としての保持枠５００と板状バネ部材５１０を備え、内部に、液晶表示体７０Ｇを収納する。保持枠５００は金属製でほぼ矩形状であり、その中央部に光通過用の開口部５０２を有している。保持枠５００の四隅には、光変調装置５０Ｇを、図示しない固定部材を介してプリズム合成体２２（図３（Ｂ）参照）にネジ固定するためのネジ穴５０４が螺設されている。保持枠５００の左右側面部に板状バネ部材５１０と係合するためのフック５０１が設けられている。
【００３７】
また、図４に示すように、保持枠５００には、ＧＮＤライン５０５がハンダ付けにより接続されている。ＧＮＤライン５０５はリード線等で構成され、液晶表示体７０Ｇに設けられた後述する導電膜とプロジェクター１のＧＮＤとを電気的に接続させる機能を有する。なお、ＧＮＤライン５０５は光変調装置５０Ｒ，５０Ｂとも同様に接続される。
【００３８】
板状バネ部材５１０は板金で構成され、中央に光通過用の開口５１２を有し、左右端部には光束入射側に凸となるように折り曲げられた枠状部５１４を有する。板状バネ部材５１０は光束出射側から枠状部５１４が保持枠５００に設けられたフック５０１に係合することで各構成部材が一体的に結合された構成となっている。係合時には保持枠５００と板状バネ部材５１０とは電気的に接続される構成となっている。
【００３９】
液晶表示体７０Ｇは、光変調素子としての液晶パネル４０Ｇと、液晶パネル４０Ｇの入射側表面及び出射側表面にそれぞれ配置された２枚の防塵ガラス６００，６０２とを有している。液晶パネル４０Ｇには、本例ではＴＦＴ基板４２とこのＴＦＴ基板４２に対向する対向基板４４との間に図示しない液晶を封入した構成のものを用いている。
【００４０】
入射側の防塵ガラス６００は、液晶パネル４０Ｇの対向基板４４と外形形状がほぼ同じに設定されており、液晶パネル４０Ｇの入射側の表面に貼着固定されて液晶パネル４０Ｇの入射側の表面に塵埃などが付着するのを防止するものである。また、仮に入射側の防塵ガラス６００自身の入射側表面に塵埃などが付着してしまった場合でも、液晶パネル４０Ｇの液晶面との距離を大きくすることで、投写される映像に影響が及ばないようにしている。
【００４１】
また、出射側の防塵ガラス６０２は、液晶パネル４０ＧのＴＦＴ基板４２と外形形状がほぼ同じに設定されており、液晶パネル４０Ｇの出射側の表面に貼着固定されて液晶パネル４０Ｇの出射側の表面に塵埃などが付着するのを防止するものである。そして、仮に出射側防塵ガラス６０２自身の出射側表面に塵埃などが付着してしまった場合でも、液晶パネル４０Ｇの液晶面との距離を大きくすることで、投写される映像に影響が及ばないようにしている。
【００４２】
図５に示すように、入射側の防塵ガラス６００及び出射側の防塵ガラス６０２それぞれの外表面全体には、帯電防止用の導電膜６０３が形成されている。この導電膜６０３は透明であり、本実施形態では、帯電防止機能に加えて無反射機能を有する導電膜が用いられている。
【００４３】
図７は、無反射機能付導電膜の構成の一例を示す図である。図７に示すように、無反射機能付の導電膜６０３は、防塵ガラス６００，６０２上に、ＳｉＯ2（２９ｎｍ）、ＺｒＯ2（３３ｎｍ）、ＳｉＯ2（２１ｎｍ）、導電性を有する例えばＩＴＯ（Ｉｎｄｉｕｍ  Ｔｉｎ  Ｏｘｉｄｅ）（６３ｎｍ）、ＳｉＯ2（２９ｎｍ）がこの順に積層された多層構造となっている。なお、多層構造のうち、ＩＴＯを除く材料膜により無反射機能が実現され、ＩＴＯにより透明導電膜が実現されている。このような導電膜６０３を防塵ガラス６００，６０２の表面に設けておくことで、防塵ガラス６００，６０２の表面における静電気の帯電が防止される。また、無反射機能により、光の透過率が向上して光の利用効率を高めることが可能となり、これにより鮮明な画像を得ることも可能となる。なお、ここで示した無反射機能付の導電膜６０３の構成は一例であってこの構成に限られたものではない。
【００４４】
保持枠５００と板状バネ部材５１０は、上述したように液晶表示体７０Ｇをはさむように配置され、入射側の防塵ガラス６００に設けられた導電膜６０３と保持枠５００とが接触し電気的に接続し、および出射側の防塵ガラス６０２に設けられた導電膜６０３と板状バネ部材５１０とが接触し電気的に接続するように固定されている。なお、保持枠５００と液晶表示体７０Ｇの固定に接着剤を使用する場合には、導電性接着剤を用いる。導電性接着剤を使用することで、保持枠５００と導電膜６０３の間の導通を確実にとることができる。
【００４５】
図８は、光変調装置５０Ｒ，５０Ｇ，５０Ｂとプリズム合成体２２の構成の一例を示す図である。図８に示すように、光変調装置５０Ｒ，５０Ｇ，５０Ｂは、プリズム合成体２２に固定されている。光変調装置５０Ｒ，５０Ｇ，５０Ｂにはそれぞれの保持枠５００にＧＮＤライン５０５が接続され、各ＧＮＤライン５０５は一つに結合され、先端に接続用のコネクター５０６が備えられている。
【００４６】
光変調装置５０Ｒ，５０Ｇ，５０Ｂの近傍にあるプリズム合成体２２にはサーミスターユニット８００が設置されている。サーミスターユニット８００は光変調装置５０Ｒ，５０Ｇ，５０Ｂ周りの温度をモニターするサーミスター８０１と、サーミスター８０１が実装されるサーミスター基板８０２と、ＧＮＤライン５０５を接続するコネクター８０３から構成される。サーミスター８０１は光変調装置５０Ｒ，５０Ｇ，５０Ｂ周りの温度をモニターし、光変調装置５０Ｒ，５０Ｇ，５０Ｂが適切な温度範囲で駆動されているか監視するものである。サーミスター８０１は光変調装置５０Ｒ，５０Ｇ，５０Ｂの近傍に配置する必要があるため、プリズム合成体２２の上に配置される。また、サーミスター８０１はチップ部品であるため、サーミスター基板８０２に実装されている。
【００４７】
サーミスター基板８０２においては、サーミスター８０１と制御基板１３をサーミスター基板８０２を介して接続するリード線８０４も接続されている。コネクター８０３とリード線８０４のＧＮＤラインが電気的に接続する配線パターンがサーミスター基板８０２に設けられている。リード線８０４のＧＮＤラインは制御基板１３のＧＮＤと電気的に接続している。以上の構成により導電膜６０３は保持枠５００、板状バネ部材５１０、ＧＮＤライン５０５、サーミスター基板８０２、リード線８０４を介してプロジェクター１の制御基板１３のＧＮＤに接地される。
【００４８】
このように導電膜６０３を接地することで、液晶表示体７０Ｇの表示領域に帯電しようとする静電気は、導電膜６０３から保持枠５００または板状バネ部材５１０へ流れ、ＧＮＤライン５０５、サーミスター基板８０２を介してプロジェクター１の制御基板１３のＧＮＤに逃がされる。このため、液晶表示体７０Ｇ表面の静電気の帯電に起因した液晶表示体７０Ｇ表面へのゴミ、ケバ等の付着を防止することができる。その結果、ゴミ、ケバ等の付着に伴う画質の劣化を防止することができる。
【００４９】
また、本実施の形態では、導電膜６０３の接地に、光変調装置５０Ｒ、５０Ｇ、５０Ｂの近傍に配置されたサーミスター８０１と制御基板１３を接続するリード線８０４を利用することにより、簡易な構成で導電膜６０３を接地することができ、接地された状態を維持することができる。また、サーミスター８０１は光変調装置５０Ｒ、５０Ｇ、５０Ｂから最も近い位置に配置されている電気部品であり、他の電子部品を利用するより容易に接続することができる。
【００５０】
また、本実施の形態では、サーミスター８０１はサーミスター基板８０２に実装してからプリズム合成体２２に配置する構造となっている。このサーミスター基板８０２にＧＮＤライン５０５接続用のコネクター８０３を接続することにより、さらに接続を容易にすることができる。
【００５１】
以上のように構成された光変調装置５０Ｒ，５０Ｇ，５０Ｂを備えたプロジェクター１は、液晶表示体７０Ｒ、７０Ｇ、７０Ｂの表面にゴミ、ケバ等が付着するのが防止されるため、ゴミ、ケバ等が付着による投写画像の画質悪化を防止することができ、より簡便に良好な投写画像を提供でき、プロジェクター１の長寿命化を図ることができる。
【００５２】
なお、本実施形態では、導電膜６０３の電気的な接地にサーミスターユニット８００のリード線８０４を利用したが、光変調装置５０Ｒ、５０Ｇ、５０Ｂの近傍に配置されていれば、他の電気部品を利用しても良い。例えば、風速センサーを光変調装置５０Ｒ、５０Ｇ、５０Ｂの近傍に配置した場合には、風速センサーに接続されるリード線と接続しても良いし、吸気ファン１５Ｂに接続されるリード線と接続しても良い。
【００５３】
また、本実施形態では、ＧＮＤライン５０５は一つにまとめられていたが、個別にサーミスター基板８０２に接続しても良い。また、サーミスター８０１をサーミスター基板８０２に実装してサーミスター基板８０２にＧＮＤライン５０５を接続していたが、リード線と一体形成されたサーミスターを採用し、サーミスターのリード線とＧＮＤライン５０５を直接接続させても良い。
【００５４】
また、本実施形態では、保持体のＧＮＤライン５０５はハンダ付けにより保持枠５００と接続されていたが、接続方法は別の方法をとっても良い。
【００５５】
なお、上記実施形態では、透過型の液晶パネルを用いたプロジェクターに本発明を適用した場合の例について説明したが、本発明は、反射型の液晶パネルを用いたプロジェクターにも適用することが可能である。また、後述のように、光変調素子は液晶パネルに限定されない。ここで、「透過型」とは、液晶パネル等の光変調素子が光を透過するタイプであることを意味しており、「反射型」とは液晶パネル等の光変調素子が光を反射するタイプであることを意味している。
【００５６】
反射型の光変調素子を採用したプロジェクターでは、プリズム合成体２２のようなダイクロイックプリズムが、光を赤、緑、青の三色の光に分離する光分離手段として利用されると共に、変調された三色の光を合成して同一の方向に出射する光合成手段としても利用されることがある。また、光変調素子と色合成手段との間に偏光ビームスプリッタが配置されることもある。反射型のプロジェクターにこの発明を適用した場合にも、透過型のプロジェクターとほぼ同様な効果を得ることができる。
【００５７】
さらに、投写型のプロジェクターとしては、投写像を観察する方向から投写を行う前面投写型プロジェクターと、投写像を観察する方向とは反対側から投写を行う背面投写型プロジェクターとがあるが、上記実施の形態で示した構成は、そのいずれにも適用可能である。
【００５８】
また、上記実施の形態では、３つの液晶パネルを用いたいわゆる３板方式のプロジェクターにおいて本発明の光変調装置を適用した場合を例に示したが、液晶パネルを２枚又は４枚用いた２板方式又は４板方式のプロジェクターにも適用可能である。
【符号の説明】
【００５９】
１…プロジェクター、２２…プリズム合成体、４０Ｒ，４０Ｇ，４０Ｂ…液晶パネル（光変調素子）、４２…ＴＦＴ基板、４４…対向基板、４６…フレキシブルケーブル、５０Ｒ，５０Ｇ，５０Ｂ…光変調装置、６２…表示領域、５００…保持枠、５０５…ＧＮＤライン、６００，６０２…防塵ガラス、６０３…導電膜、８００…サーミスターユニット、８０１…サーミスター、８０２…サーミスター基板、８０３…コネクター、８０４…リード線。
【図１】
2011170066.tif 000003
【図２】
2011170066.tif 000004
【図３】
2011170066.tif 000005
【図４】
2011170066.tif 000006
【図５】
2011170066.tif 000007
【図６】
2011170066.tif 000008
【図７】
2011170066.tif 000009
【図８】
2011170066.tif 000010